(57)【要約】　　　（修正有）【課題】簡便性、有効性、運転コストの面で優れた晩霜害防止システムの提供。【解決手段】縮合リン酸塩を有効成分とする晩霜防止剤を、晩霜の発生予報時にあらかじめ果樹や園芸作物等各種植物の植物体に散布すれば、少ない散布回数で優れた晩霜効果を得ることができる。【選択図】　　　なし【特許請求の範囲】
【請求項１】
縮合リン酸塩を有効成分としてなること、を特徴とする晩霜による凍結の防止剤。
【請求項２】
凍結の防止が植物、特に植物葉体の凍結防止であること、を特徴とする請求項１に記載の防止剤。
【請求項３】
縮合リン酸塩を有効成分として植物に散布すること、を特徴とする晩霜による凍結の防止方法。
【請求項４】
植物が果樹又は野菜であること、を特徴とする請求項３に記載の方法。
【請求項５】
散布が葉面散布であること、を特徴とする請求項３又は４に記載の方法。
【請求項６】
更に、土壌の三相分布において、固相が４２〜６０％、液相及び気相がそれぞれ１４〜４０％であること、を特徴とする請求項３〜５のいずれか１項に記載の方法。
【発明の詳細な説明】
【０００１】
【発明の属する技術分野】
本発明は、晩霜など低温による害の防止に関するものであり、更に詳細には、縮合リン酸塩を有効成分として使用し、園芸作物等各種植物の晩霜など低温による凍結や成長抑制等の各種の害を防止する技術に関するものである。
【０００２】
【従来の技術】
果樹等において、春先において、例えば花芽形成時に晩霜が発生すると、開花が大きな影響を受け、その結果、着果結実率が大幅に低下して収穫が大幅に減少し、場合によってはその年は収穫が得られないことすら生じる。しかも晩霜はその発生を正確に予測することがむつかしいため、晩霜による害は露地栽培の場合はもとよりビニール栽培等ハウス栽培においても発生する場合があり、農家にとって大きな問題となっており、簡便にしてかつ有効性にもすぐれた防止方法の開発が希求されている。
【０００３】
【発明が解決しようとする課題】
晩霜等を防止するため、従来、圃場で火をたいたり、あるいは、例えば茶畑等において防霜用のファンが用いられているが、前者は、人手を要し、風向によっては効果が奏されなかったりして確実性に劣り、あまり科学的な方法ではない。一方、後者は、相当な装置や設備が必要であるし、これを稼動する運転コストも看過することはできない。
【０００４】
本発明は、上記に例示した従来行われてきた晩霜害防止策が未だ充分でないという当業界の現状に鑑み、更にすぐれた晩霜害防止システムを新たに開発する目的でなされたものである。
【０００５】
【課題を解決するための手段】
本発明は、上記目的を達成するためになされたものであって、簡便性、有効性、運転コスト等の面から、本発明者は、従来法には限度があるとの認識を得るに至り、全く新しいタイプの晩霜害防止システムの開発が必要であるとの観点にたった。
【０００６】
そこで本発明者は、各方面から検討、研究を行った結果、全く予期せざることに、縮合リン酸塩溶液を桜桃の葉に散布したところ、晩霜が発生したにもかかわらず、桜桃が晩霜の害を受けることなく収穫できることをはじめて発見した。一方、縮合リン酸塩処理を実施しなかった隣接する桜桃は、晩霜の被害を受け、収穫はほとんど得られない程のダメージを受けた。
【０００７】
本発明は、これらの有用新知見に基づき、更に研究の結果完成されたものであって、晩霜害の防止に縮合リン酸塩を使用する点を基本的特徴のひとつとするものである。
以下、本発明について詳述する。
【０００８】
本発明においては縮合リン酸塩を使用するが、場合によっては縮合リン酸の部分中和物で植物に害を及ぼさない程度のものも適宜使用される。縮合リン酸塩としてはＰ２Ｏ５含量が６０〜９５重量％、好ましくは７３〜８６重量％のものが使用でき、市販品が充分に使用に耐える。縮合リン酸塩は、また、各種の方法で製造することも可能であり、例えば正リン酸またはこれに無水リン酸を混合したものを加熱縮合させて縮合リン酸を製造し、これを水酸化カリウム等のアルカリで処理することによって得られるものを使用してもよい。
【０００９】
次に、縮合リン酸カリウムの製造の１例を示す。オルトリン酸７７０ｋｇ、又は、オルトリン酸４６４ｋｇと無水リン酸１６６ｋｇとの混合物を加熱縮合させて縮合リン酸を製造する。このようにして製造した縮合リン酸５００ｋｇは、次のような組成を有する（Ｐ２Ｏ５：８３．０％）。
【００１０】
2004081028.tif 000002
【００１１】
上記組成の縮合リン酸の全遊離水酸基の約８５％をＫＯＨの水溶液で中和して、次の組成を有する縮合リン酸塩原液Ａを製造する。
（原液Ａ）
Ｐ２Ｏ５含量　　　　１５％
Ｋ２Ｏ含量　　　　　１４％
水含量　　　　　　７１％
【００１２】
本発明においては、このようにして製造した縮合リン酸塩を植物体に適用するのであるが、縮合リン酸塩原液を水で希釈した後、これを単に植物に対して散布すれば良い。しかもその際、散布する植物の部位については何の制限もなく、花はもちろんのこと、開花前、開花中の花、蕾のほか、葉面、茎、花芽、芽、根等花以外の植物体のいずれかの部位に散布しても充分に所期の目的が達成される。
【００１３】
つまり本発明は、植物体に対して直接散布するだけで所期の目的が達成されるので、施用方法が極めて簡単であるという効果特徴を有するのみでなく、植物体のいずれの部位に適用しても薬害を呈することなく所期の目的が達成されるので、施用の際にデリケートな配慮をする必要がなく、大規模園芸、機械化農業に特に適しており、これも本発明のすぐれた特徴の１つである。
【００１４】
この原液Ａを花および／または葉面に散布する場合には、水で希釈してＰ２Ｏ５として通常０．００１〜１０％、好ましくは０．０５％〜１％程度のものを用いる。したがって、本発明に係る晩霜害防止剤は、このように縮合リン酸塩を３０〜３０００倍、好ましくは５０〜１０００倍程度に水で希釈したストレートタイプに製剤化できるほか、縮合リン酸塩原液又はその高濃度希釈液といった濃縮タイプ液を用意しておき、用時において現地で所定量の水を用いて目的とする希釈度（濃度）にまで希釈するよう、用時製剤タイプに製剤化してもよい。
【００１５】
本発明方法は、ミカン、桃、栗、柿、梨、ブドウ、サクランボ、リンゴ、オレンジ、キウイ、スモモ、バナナ、マンゴ、パパイヤ等の果樹、トマト、スイカ、メロン、キウリ、イチゴ、ナス、カボチャ、マメ類といった果菜等結実する各種園芸作物のすべてに対して適用することができる。また、果菜類や葉菜類にも適用することができ、結実する作物のみならず他の作物についても、凍結等による晩霜の害を広く防止することができる。
【００１６】
適用する際には、植物体の葉面、花芽、その他適宜な部位に散布すればよく、その時期、回数についても格別に限定はなく、晩霜の発生が予測される日以前、晩霜発生時のいずれでもよいが、晩霜発生前（例えば、晩霜発生の注意報や警報が出された時点）に１回以上散布しておき、晩霜発生時又はそれ以後に（例えば花芽形成時に）１回以上散布しておけば、通常の場合、晩霜の害を防止することができる。
【００１７】
本剤を施用することによって、晩霜に帰因する果実の収穫低下が防止ないし抑制され、収穫量が大幅に増大するだけでなく、晩霜によって、無処理区では果実の収穫が得られなかったにもかかわらず、本剤処理区では果実の収穫が得られしかもその収穫量は晩霜の害のない通常の場合とそん色がないという著効が奏される場合も確認された。
【００１８】
本発明による晩霜害防止のメカニズムの詳細は今後の研究にまたねばならないが、現時点においては、縮合リン酸塩を植物に散布することにより、例えば葉体内のＮＯ３−Ｎ（硝酸態窒素）をＮＨ３−Ｎ（アンモニア態窒素）に還元し、ＮＨ３−Ｎを更にＮＨ２（アミノ基）に酸化し、凍結を防止した結果と思料される。また、ＮＯ３−Ｎのもとでは葉体内の水分が完全に凍結するのに対し、ＮＨ３−Ｎのもとでは水分の凍結がかなり抑制され、ＮＨ２のもとでは水分が凍結しないことも確認し、縮合リン酸塩による凍結の防止〜抑制、その結果、晩霜による害が防止〜低減され、作物の増収効果が奏され、更には、晩霜によって無処理区では収穫がほとんどなかったにもかかららず処理区では収穫がありしかも晩霜の害のないレベルと同等の収穫が得られるという著効が奏されるものと思料される。
【００１９】
本発明によれば、縮合リン酸塩によって植物体内の凍結の防止ないし抑制が可能となり、その結果、晩霜害が防止できるだけでなく、晩霜時に限らず、異常低温となって植物が凍結あるいは凍結に至らなくても低温による害を受ける場合においても、縮合リン酸塩を使用すれば凍結が防止され、植物に対する低温による害が防止ないし低減される。したがって本発明において、晩霜害には季節を問わず異常低温による害も広く包含するものである。
【００２０】
また、本発明による晩霜害（異常低温による害を包含する）の防止効果は、土壌ｐＨを６〜７、好ましくは６．５程度に調整し、土壌物理性を改善すると、更に高めることができる。
【００２１】
土壌物理性としては、土壌の三相分布の内、液相を減少、気相を増加させ、有効水分が１００％に近い状態で、根が吸収することのできる１５気圧以内の水が自由に移動することができ、寒さの影響を植物の根が受けないようにしてやればよい。そのためには、団粒構造の改善、土壌ミネラルバランスの調整（ミネラルバランス測定後における不足ミネラルの補充等）、堆肥等の施肥といった土壌改良方法が適宜利用可能である。
【００２２】
土壌中の三相分布としては、固相が４２〜６０％、好ましくは４３〜５３％、更に好ましくは４５％程度がよく、気相は１４〜４０％、好ましくは２０〜３０％、更に好ましくは２５％程度がよく、そして液相は２０〜４０％、好ましくは２０〜３０％、更に好ましくは２５％程度がよい。以下に本実施例の桜桃圃場の土壌の分析値（２回測定）を記載するが（表１：散布区、表２：無処理区）、無処理区において液相が異常に多い反面、気相が少ないことがわかる。
【００２３】
2004081028.tif 000003
【００２４】
2004081028.tif 000004
【００２５】
以下、本発明の実施例について述べる。
【００２６】
【実施例１】
山形県寒河江市の果樹農家におけるサクランボ（高砂）のマハレブ苗１０年生５本に対し、縮合リン酸塩液Ａの３００倍希釈液を葉面に散布した。
【００２７】
１回目の散布は２００２年４月１７日、２回目の散布は１００倍希釈液を２００２年４月２４日に行った。その間、晩霜が４月２５日及び４月２６日に発生したけれども、サクランボの生育に格別の影響は認められず、２００２年６月６日に収穫することができた。収穫量は晩霜害を受けなかった年とほとんどそん色のないものであった。これに対して、対照区（無処理区）では、収穫量は散布区の１０％に満たず、この程度の収穫量では農家の経営はきわめて困難であり、晩霜による顕著な害が認められた。
【００２８】
【発明の効果】
本発明は、晩霜害の防止との関連性など全く予測し得ない縮合リン酸塩にはじめて着目し、しかもこれを植物体に散布するという非常に簡便な方法により、晩霜害を防止することをはじめて可能にしたものであって、非常にユニークで且つ農家の負担を大幅に軽減し、収穫が全く得られないことすらしばしばである晩霜害による甚大な被害を防止するものである。